(57)【特許請求の範囲】
【請求項１】
入射面を介して入射した光の一部を拡散するとともに前記入射した光の他の一部を直進透過させる半透過拡散部と、
前記半透過拡散部と接してまたは近接して配置され、前記半透過拡散部を透過した光を前記半透過拡散部側へ反射する反射面と、を備え、
前記半透過拡散部は、
入射した光を透過する第１の透明層と、
前記反射面に隣接して配置され、入射した光を透過する第２の透明層と、
凹凸形状を有し、前記第１の透明層と前記第２の透明層との間に位置する半透過反射層と、を含む、反射部材。
【請求項２】
前記反射面と前記半透過反射層との間の間隔が３ｍｍ以下である、請求項１に記載の反射部材。
【請求項３】
前記半透過拡散部の可視光の直進透過率は５０％以上である、請求項１または２のいずれかに記載の反射部材。
【請求項４】
前記反射面の可視光の反射率は７０％以上である、請求項１から３のいずれかに記載の反射部材。
【請求項５】
前記反射面を挟んで前記半透過拡散部と反対側に配置された基材を備える、請求項１から４のいずれかに記載の反射部材。
【請求項６】
前記入射面の垂直方向における、前記反射部材の厚さは、５００μｍ以下である、請求項１から５のいずれかに記載の反射部材。
【請求項７】
前記反射面を含む反射層を備え、
前記反射層は、前記入射面に曲率が生じるように曲げることが可能な柔軟性を有する、請求項１から６のいずれかに記載の反射部材。
【請求項８】
前記第１の透明層の一方の面は、前記半透過反射層に接して配置されており、
前記第１の透明層一方の面は、凹凸形状を有する、請求項１から７のいずれかに記載の反射部材。
【請求項９】
前記半透過反射層は、前記第１の透明層に金属材料を蒸着またはスパッタリングすることで形成される、請求項８に記載の反射部材。
【請求項１０】
前記第２の透明層の一方の面は、前記半透過反射層に接して配置されており、
前記第２の透明層の一方の面は、凹凸形状を有する、請求項１から９のいずれかにに記載の反射部材。
【請求項１１】
前記第１の透明層の屈折率と前記第２の透明層の屈折率とは、略等しい、請求項１から１０のいずれかに記載の反射部材。
【請求項１２】
請求項１に記載の反射部材と、
前記反射部材に向けて前記入射面側から映像を投影するプロジェクタと、を備える表示システム。
【発明の詳細な説明】
【技術分野】
【０００１】
本開示は、鏡面反射及び拡散反射を実現するミラーパネル、ミラーフィルム及びそれらのうちいずれかを用いた表示システムに関する。
【背景技術】
【０００２】
特許文献１は、映像を投影するためのプロジェクタと、映像を表示するための表示部と、から構成される情報表示装置を開示する。表示部は、透明部材のユーザに対する裏側に反射層が設けられ、該反射層のユーザに対する裏側に拡散層が設けられたハーフミラーである。情報表示装置では、表示部の反射層に鏡像が映り、表示部の裏側の拡散層にプロジェクタから映像が投影される。この情報表示装置によれば、ユーザは、鏡像に加えて、拡散層で拡散された映像を、表示部の表側から同時に視認することができる。
【先行技術文献】
【特許文献】
【０００３】
【特許文献１】特開２００６−１４５６４５号公報
【発明の概要】
【０００４】
本開示は、奥行きが小さい表示装置でありながら、ユーザが鏡像とともにプロジェクタから投影された映像を視認できるミラーパネル、ミラーフィルム及びそれらのうちいずれかを用いた表示システムを提供する。
【０００５】
本開示の第１の態様においてミラーパネルが提供される。ミラーパネルは、半透過拡散部と、反射面と、を備える。半透過拡散部は、入射面を介して入射した光の一部を拡散するとともに入射した光の他の一部を直進透過させる。反射面は、半透過拡散部と接してまたは近接して配置され、半透過拡散部を透過した光を半透過拡散部側へ反射する。
【０００６】
本開示の第２の態様においてミラーフィルムが提供される。ミラーフィルムは、半透過拡散部と、反射面と、を備える。半透過拡散部は、入射面を介して入射した光の一部を拡散するとともに入射した光の他の一部を直進透過させる。反射面は、半透過拡散部と接してまたは近接して配置され、半透過拡散部を透過した光を半透過拡散部側へ反射する。
【０００７】
本開示の第３の態様において表示システムが提供される。表示システムは、上記のミラーパネルと、ミラーパネルに向けて入射面側から映像を投影するプロジェクタと、を備える。
【０００８】
本開示の第４の態様において表示システムが提供される。表示システムは、上記のミラーフィルムと、ミラーフィルムに向けて入射面側から映像を投影するプロジェクタと、を備える。
【０００９】
本開示によれば、ミラーパネルまたはミラーフィルムは、入射光の一部を反射面で鏡面反射するとともに、入射光の一部を半透過拡散部にて拡散反射する。これにより、ミラーパネルまたはミラーフィルム上に鏡像とともにプロジェクタから投影された映像を表示することができる。すなわち、ユーザは、奥行きが小さい表示装置上で鏡像とともにプロジェクタから投影された映像を視認することができる。
【図面の簡単な説明】
【００１０】
【図１】図１は、本開示の表示システムの構成を示す図である。
【図２Ａ】図２Ａは、拡散反射を説明する図である。
【図２Ｂ】図２Ｂは、鏡面反射を説明する図である。
【図３】図３は、実施の形態１のミラーパネルの構成を示す図である。
【図４】図４は、実施の形態１のミラーパネルの光学的な機能を説明する図である。
【図５Ａ】図５Ａは、実施の形態１のミラーパネルの別の構成例を示す図である。
【図５Ｂ】図５Ｂは、実施の形態１のミラーパネルの別の構成例を示す図である。
【図６】図６は、実施の形態２のミラーパネルの構成を示す図である。
【図７】図７は、実施の形態２のミラーパネルの光学的な機能を説明する図である。
【図８】図８は、実施の形態２のミラーパネルの別の構成例を示す図である。
【図９】図９は、実施の形態３のミラーフィルムの構成を示す図である。
【図１０】図１０は、実施の形態３のミラーフィルムの別の構成例を示す図である。
【図１１】図１１は、実施の形態４のミラーフィルムの構成を示す図である。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者（ら）は、当業者が本開示を十分に理解するために添付図面および以下の説明を提供するのであって、これらによって請求の範囲に記載の主題を限定することを意図するものではない。
【００１３】
（実施の形態１）
［１−１．構成］
図１は、本開示の表示システムの構成を示す図である。表示システムは、ミラーパネル１００と、プロジェクタ３００とを備える。ミラーパネル１００は入射面Ｐを有し、入射面Ｐを介して光はミラーパネル１００に入射する。プロジェクタ３００は、ミラーパネル１００に向けて入射面Ｐ側から映像を投影する。
【００１４】
ミラーパネル１００は、表面反射鏡１０と、透明スクリーン２０（半透過拡散部の一例）とで構成される。透明スクリーン２０は、ミラーパネル１００において光が入射する側に配置される。表面反射鏡１０は、透明スクリーン２０側の主面に反射面Ｓを有する。透明スクリーン２０が透光性を有しているため、入射面Ｐを介してミラーパネル１００に入射した光の一部は透明スクリーン２０を直進透過して表面反射鏡１０に到達する。そして、到達した光は、表面反射鏡１０の反射面Ｓにより鏡面反射され、再度透明スクリーン２０を直進透過してミラーパネル１００から出射する。また、透明スクリーン２０は拡散反射性を有している。そのため、ミラーパネル１００に入射した光の一部は、透明スクリーン２０内で拡散反射されてミラーパネル１００から種々の方向に出射する。
【００１５】
なお、拡散反射とは、平滑でない表面、例えば凹凸形状になっている表面からの光の反射のことであり、図２Ａに示すように入射光が様々な角度で反射される現象である（「乱反射」とも呼ばれる）。この拡散反射性を持つ反射面の例として、白い紙、すりガラス、プロジェクタ用投影スクリーンが挙げられる。本開示における拡散反射機能は、透明媒質中に設けられた凹凸形状の半透過反射層による反射によって実現する。あるいは、本開示における拡散反射機能は、透明媒質中に分散された微粒子による拡散および反射面Ｓによる反射によっても実現する（詳細は後述）。
【００１６】
拡散反射に対して、鏡などによる反射を鏡面反射（または「正反射」）という。鏡面反射は、図２Ｂに示すように、一方向からの光が別の一方向に反射されて出射するというもので、光の入射角θと反射角θは同じ角度となる。
【００１７】
上述のように、本実施形態のミラーパネル１００（図１参照）によれば、ミラーパネル１００に入射した光の一部が、透明スクリーン２０を透過して表面反射鏡１０によって鏡面反射される。これにより、ミラーパネル１００に正対したユーザ５００は、自身の鏡像を視認することができる。さらに、ミラーパネル１００に入射した光の一部が透明スクリーン２０によって拡散反射されることにより、プロジェクタ３００から投影された映像がミラーパネル１００上に表示される。これにより、ユーザ５００はその表示された映像を視認することができる。
【００１８】
［１−１−１．ミラーパネル］
図３は、実施の形態１のミラーパネル１００の詳細な構成を示す図である。ミラーパネル１００は前述のように、表面反射鏡１０と、表面反射鏡１０に近接して配置された透明スクリーン２０とで構成される。すなわち、表面反射鏡１０の反射面Ｓは、透明スクリーン２０と近接して配置されている。表面反射鏡１０と透明スクリーン２０とは、透明な粘着層３０により貼り合わされている。
【００１９】
（１)透明スクリーン
透明スクリーン２０は、透明な凹凸基材２１と、凹凸基材２１の凹凸形状の面に沿って形成された半透過反射層（膜）２４と、透明媒質層２３とから構成されている。
【００２０】
凹凸基材２１には、液晶ディスプレイなどに用いられる光拡散フィルムなどを用いても良い。凹凸基材２１は、例えば以下のようにして形成される。平滑な透明ＰＥＴフィルム基材上に、透明な球状微粒子を分散させた透明な接着液を塗膜する。そして、塗布した接着液を熱乾燥または紫外線硬化などで固着させる。このようにして、凹凸基材２１は形成されても良い。また、凹凸基材２１は、上記の形成方法以外に、例えば以下のようにして形成されても良い。凹凸形状を設けた金型と透明基材の間に紫外線硬化樹脂を充填する。これに加圧、紫外線照射を行うことで樹脂を硬化させ、その後、金型より剥離する。このようにして、凹凸基材２１は形成されても良い。
【００２１】
半透過反射層２４は、入射した可視光の一部を反射し、一部を透過させる性質（半透過反射性）を持った、一般的にハーフミラーと呼ばれる層（膜）である。このため、半透過反射層２４は、反射性と透過性を持つように成膜されたごく薄い膜である。半透過反射層２４は、蒸着法、スパッタリング法などを用いて、アルミ、ニッケル、銀などの金属を成膜することで形成されてもよい。半透過反射層２４の可視光の透過率は、例えば７０％である。なお、半透過反射層２４には、異なる屈折率を有する透明な金属酸化物を交互に積層させた誘電体多層膜を用いてもよい。誘電体多層膜は、例えば五酸化ニオブと二酸化珪素を交互に積層させて形成されてもよい。
【００２２】
透明媒質層２３は、上記の凹凸形状の半透過反射層２４を隙間無く、包埋するように形成される。透明媒質層２３の材料の屈折率（ｎ１）は、凹凸基材２１の材料の屈折率（ｎ２）と同じか、または略等しい。透明媒質層２３は、熱硬化性または光硬化性の透明樹脂材料を、凹凸形状の半透過反射層２４の面上に塗膜、硬化して形成されても良い。また、透明媒質層２３は、液晶ディスプレイなどによく用いられる、透明な基材レス粘着フィルムを凹凸形状の半透過反射層２４の面上に隙間無く、包埋するように貼り合わせて形成されても良い。
【００２３】
以上のように、透明スクリーン２０は、凹凸形状の半透過反射層２４を含む。
【００２４】
（２）表面反射鏡
鏡像を得るための表面反射鏡１０は、表面が平滑な基材１１と、基材１１の表面に形成された反射層１３とを含む。図３に示すように、基材１１は、反射面Ｓを挟んで透明スクリーン２０と反対側に配置されている。基材１１は、ガラス基板、樹脂基板、樹脂シートなどで構成される。基材１１は、柔軟性を有するものであってもよい。反射層１３は、蒸着法、スパッタリング法などを用いて、基材１１の表面に、アルミ、銀などを成膜することで形成される。本実施の形態の表面反射鏡１０はハーフミラーではなく、その可視光の反射率は例えば７０％以上とする。すなわち、反射層１３の反射面Ｓはハーフミラーではなく、その反射率は例えば７０％以上である。なお、基材１１および反射層１３は、鏡面仕上げの金属で構成されていてもよい。この場合には、金属の鏡面が反射面Ｓに相当する。
【００２５】
［１−２．光学的機能］
図４は、実施の形態１のミラーパネル１００の光学的な機能を説明する図である。入射面Ｐを介してミラーパネル１００へ入射した入射光の一部は、透明スクリーン２０を直進透過して表面反射鏡１０の反射面Ｓで鏡面反射される。同時に、ミラーパネル１００への入射光の一部は、透明スクリーン２０内で凹凸形状の半透過反射層２４で拡散反射される。ミラーパネル１００において、鏡面反射された光と拡散反射された光は入射面Ｐを介してミラーパネル１００から出射する。これにより、例えば、図１に示すように、ミラーパネル１００の前面すなわち入射面Ｐ側からプロジェクタ３００により、ミラーパネル１００へ映像を投影した場合に、その映像光は透明スクリーン２０の凹凸形状の半透過反射層２４で拡散反射される。これにより、ミラーパネル１００の前面に正対するユーザ５００は、鏡面反射作用によって、自身の鏡像を視認することができるとともに、拡散反射作用によって、プロジェクタ３００により投影された映像を視認することができる。
【００２６】
なお、ミラーパネル１００において、半透過反射層２４と反射面Ｓの間の間隔ｄが長いと、プロジェクタ３００により投影された映像が二重に見えることがある。このような二重の映像の発生を抑制するため、本実施形態では、半透過反射層２４と反射面Ｓとの間の間隔ｄが３ｍｍ以下となるようにミラーパネル１００を構成している（図４参照）。ここで、半透過反射層２４と反射面Ｓとの間の間隔ｄとは、半透過反射層２４の凹凸形状の面を平均化させた面と反射面Ｓとの間の間隔を意味する。
【００２７】
図５Ａ、図５Ｂは、実施の形態１における、凹凸基材２１を用いた透明スクリーン２０を含むミラーパネル１００の他の構成例を示す図である。図５Ａ、図５Ｂにそれぞれ示すミラーパネル１００ｂ、１００ｃは透明スクリーン２０と表面反射鏡１０とを粘着層３０を介さずに結合している点が図３に示す構成と異なる。この場合、反射面Ｓは、透明スクリーン２０と接して配置される。
【００２８】
図５Ａに示すミラーパネル１００ｂでは、蒸着法またはスパッタリング法などを用いて、透明スクリーン２０の入射面Ｐと反対側の平滑面にアルミ、銀等の金属からなる金属膜を成膜して反射層１３を形成している。また、この構成例において、表面反射鏡１０は基材１１を含まない。これにより、ミラーパネル１００ｂにおいて、透明スクリーン２０と表面反射鏡１０とを粘着層３０を介さずに結合できる。
【００２９】
図５Ｂに示すミラーパネル１００ｃでは、透明スクリーン２０ｃにおける透明媒質層２３ｃを基材レス粘着フィルムで構成している。透明媒質層２３ｃに対して、凹凸形状の半透過反射層２４を隙間無く、包埋するように貼り合わせる。そして、透明媒質層２３ｃにおける半透過反射層２４との結合面と反対側の面を、表面反射鏡１０の面（反射層１３の面すなわち反射面Ｓ）と貼り合わせることで、ミラーパネル１００ｃを形成している。すなわち、透明媒質層２３ｃは粘着層として機能している。
【００３０】
図５Ａ、図５Ｂに示す構成によっても、透光性かつ拡散反射性を有し、鏡像を映すことができかつプロジェクタから投影された映像を表示できるミラーパネルを実現することができる。
【００３１】
［１−３．効果等］
以上のように、本実施の形態のミラーパネル１００、１００ｂ、１００ｃは、透明スクリーン２０、２０ｃ（半透過拡散部の一例）と、反射面Ｓとを備える。透明スクリーン２０、２０ｃは、入射面Ｐを介して入射した光の一部を拡散するとともに入射した光の他の一部を直進透過させる。反射面Ｓは、透明スクリーン２０、２０ｃと接してまたは近接して配置され、透明スクリーン２０、２０ｃを透過した光を透明スクリーン２０、２０ｃ側へ反射する。
【００３２】
以上の構成により、ミラーパネル１００、１００ｂ、１００ｃに入射した光の一部が透明スクリーン２０、２０ｃを透過して反射面Ｓで鏡面反射されることにより、ミラーパネル１００、１００ｂ、１００ｃに正対したユーザ５００は、自身の鏡像を視認することができる。さらに、ミラーパネル１００、１００ｂ、１００ｃに入射した光の一部が透明スクリーン２０、２０ｃにて拡散反射されることにより、ユーザ５００はプロジェクタ３００から投影された映像を透明スクリーン２０、２０ｃ上で視認することができる。
【００３３】
本実施形態のミラーパネル１００、１００ｂ、１００ｃは、入射光を鏡面反射及び拡散反射する構成なので、ミラーパネル１００、１００ｂ、１００ｃ自身は、光源、電源および配線を必要としない。これにより、ミラーパネル１００、１００ｂ、１００ｃは、光源、電源および配線を必要とする表示装置に比べて、奥行きを小さくすることができる。
【００３４】
また、表面反射鏡１０の半透過反射層２４と反射面Ｓとの間の間隔を１ｍｍ以下に設定してもよい。これにより、二重映像の発生をさらに抑制することができる。また、高い可視光の反射率（例えば７０％以上）を持つ表面反射鏡１０と透明スクリーン２０を組合せてもよい。これにより、ユーザ５００は鮮明な鏡像と投影された映像を同時に視認することができる。また、透明スクリーン２０、２０ｃの可視光の直進透過率は、例えば５０％以上に設定してもよい。これにより、鮮明な鏡像が得られる。
【００３５】
なお、ミラーパネルが赤外光を反射または透過させる用途に使用される場合には、反射面Ｓの赤外光の反射率や透明スクリーン２０、２０ｃの赤外光の直進透過率を必要な値に設定してもよい。
【００３６】
（実施の形態２）
実施の形態１では、ミラーパネルを構成する透明スクリーン２０の拡散反射機能を凹凸形状の半透過反射層２４により実現した。本実施形態では、拡散反射機能を実現する他の構成を説明する。
【００３７】
図６は、実施の形態２のミラーパネルの構成を示す図である。実施の形態２のミラーパネル１００ｄは、透明スクリーンの構成が実施の形態１のものと異なる。図６に示す透明スクリーン２０ｄ（半透過拡散部の一例）は、透明基材２６と、透明基材２６上に形成された透過拡散層２５とで構成される。透過拡散層２５は、透明媒質中に微粒子２８を分散して形成される。すなわち、透明スクリーン２０ｄは、透明媒質中に微粒子２８が分散された透過拡散層２５を含む。透明スクリーン２０ｄと表面反射鏡１０とは、透明な粘着層３０により貼り合わされる。
【００３８】
透過拡散層２５は、入射光の一部を透過させるとともに、内部に分散された微粒子２８により入射光の一部を拡散させる性質を持った層である。光を拡散させるために、透過拡散層２５において微粒子２８の屈折率と透明媒質の屈折率とは異ならせている。透過拡散層２５の可視光の透過率は、例えば８０％である。
【００３９】
図７は、実施の形態２のミラーパネル１００ｄの光学的な機能を説明する図である。入射面Ｐを介してミラーパネル１００ｄへ入射した入射光の一部は、透明スクリーン２０ｄを直進透過して表面反射鏡１０の反射面Ｓで鏡面反射される。同時に、入射光の一部は透過拡散層２５内の微粒子２８により種々の方向に拡散される。拡散された光の一部は、透過拡散層２５と透明基材２６との界面で反射される。また、拡散された光の一部は透過拡散層２５および透明基材２６を透過し、反射面Ｓで反射され、再び透過拡散層２５内に入射する。すなわち、入射光の一部であって微粒子２８により拡散された光は、透過拡散層２５と透明基材２６との界面または反射面Ｓで反射される。そして、反射された光は、拡散反射光となって入射面Ｐから透明スクリーン２０ｄ外部へ出射する。以上のように、透過拡散層２５は、入射光を直進透過させる機能と、入射光を拡散させて透過させる機能とを有する。このような、透過拡散層２５を用いることによっても、ミラーパネル１００ｄにおいて、入射光の一部を鏡面反射するとともに他の一部を拡散反射する機能を実現できる。
【００４０】
よって、本実施の形態の構成を有するミラーパネル１００ｄにおいても、入射した光の一部が透明スクリーン２０ｄを透過して反射面Ｓで鏡面反射されることにより、ミラーパネル１００ｄに正対したユーザ５００は、自身の鏡像を視認することができる。さらに、ミラーパネル１００ｄに入射した光の一部が透明スクリーン２０ｄにて拡散反射されることにより、ユーザ５００はプロジェクタ３００から投影された映像を透明スクリーン２０ｄ上で視認することができる。
【００４１】
なお、ミラーパネル１００ｄにおいて、透過拡散層２５と反射面Ｓの間の間隔ｄが長いと、映像が二重に見えることがある。このような二重の映像の発生を抑制するため、本実施形態では、透過拡散層２５と反射面Ｓとの間の間隔ｄが３ｍｍ以下となるようにミラーパネル１００ｄを構成している（図７参照）。
【００４２】
図８は、実施の形態２における、透過拡散層２５を備えた透明スクリーンを含むミラーパネルの他の構成例を示す図である。図８に示すミラーパネル１００ｅの透明スクリーン２０ｄは透明基材２６を有しておらず、透過拡散層２５が粘着層３０を介して反射層１３に貼り付けられている。図７に示すミラーパネル１００ｄは、透過拡散層２５を形成するための基材として透明基材２６を有している。しかし、透明基材２６がなくとも透過拡散層２５を形成できる場合には、図８のように、ミラーパネルは透明基材２６を有する必要はない。
【００４３】
このような構成によっても、透光性かつ拡散反射性を有し、鏡像を映すことができかつプロジェクタにより投影された映像を表示できるミラーパネルを実現することができる。
【００４４】
本実施の形態の透明スクリーン２０ｄの可視光の直進透過率は、例えば５０％以上に設定してもよい。これにより、鮮明な鏡像が得られる。
【００４５】
（実施の形態３）
上記の実施の形態では、ミラーパネルを備えた表示システムの構成例を説明したが、表示システムは、ミラーパネルに代えて後述するミラーフィルムを備えてもよい。以下、ミラーフィルムについて説明する。ミラーフィルムは、厚さが例えば１００〜５００μｍ程度のフィルムであり、柔軟性を有してもよい。
【００４６】
図９に、ミラーフィルムの構成を示す。ミラーフィルム１２０は、ミラー部１０ｘと、ミラー部１０ｘに接して配置された透明スクリーン２０と、を有する。ミラー部１０ｘと透明スクリーン２０とは、透明な粘着層３０により貼り合わされている。ミラー部１０ｘは、透明基材１６と反射層１３とから構成される。透明スクリーン２０は、実施の形態１と同様に、透明な凹凸基材２１と、凹凸基材２１の凹凸形状に沿って形成された半透過反射層（膜）２４と、透明媒質層２３とから構成されている。
【００４７】
透明基材１６の一方の主面に透明スクリーン２０を透明な粘着層３０により貼り合わせ、透明基材１６の他方の主面に金属を成膜することで反射層１３を形成する。反射層１３は、蒸着法、スパッタリング法を用いて、アルミ、銀などの金属を成膜することで形成されてもよい。
【００４８】
このような構成を有するミラーフィルム１２０によっても、実施の形態１のミラーパネルと同様に、ミラーフィルム１２０に入射した光の一部が透明スクリーン２０を直進透過して反射面Ｓで鏡面反射される。さらに、ミラーフィルム１２０に入射した光の一部が透明スクリーン２０にて拡散反射される。これにより、ユーザ５００はミラーフィルム１２０に映された鏡像とミラーフィルム１２０に投影された映像を同時に視認することができる。
【００４９】
ミラーフィルム１２０においても、半透過反射層２４と反射面Ｓとの間の間隔ｄは３ｍｍ以下であり、反射面Ｓでの反射率は例えば７０％以上とする。また、透明スクリーン２０の可視光の直進透過率は５０％以上に設定してもよい。
【００５０】
透明スクリーンの構成は、図９に示すものに限定されず、実施の形態２で示したものでもよい。例えば、図１０に、透明スクリーンとして図８で示した透明スクリーン２０ｄを備えたミラーフィルム１２０ｂの構成を示す。この構成によっても、入射光の一部を鏡面反射するとともに他の一部を拡散反射する機能を実現できる。この場合も、透過拡散層２５と反射面Ｓの間の間隔ｄは３ｍｍ以下であり、反射面Ｓでの可視光の反射率は例えば７０％以上とする。また、透明スクリーン２０ｄの可視光の直進透過率は５０％以上に設定してもよい。
【００５１】
図９、図１０に示すミラーフィルム１２０、１２０ｂの構成において、ミラー部１０ｘは透明基材１６を有さなくてもよい。この場合、反射層１３が透明スクリーン２０上に直接形成される。
【００５２】
以上のように、本実施の形態のミラーフィルム１２０、１２０ｂは、透明スクリーン２０、２０ｄ（半透過拡散部の一例）と、反射面Ｓとを備える。透明スクリーン２０、２０ｄは、入射面Ｐを介して入射した光の一部を拡散するとともに入射した光の他の一部を直進透過させる。反射面Ｓは、透明スクリーン２０、２０ｄと接してまたは近接して配置され、透明スクリーン２０、２０ｄを透過した光を透明スクリーン２０、２０ｄ側へ反射する。
【００５３】
この構成によっても、ミラーフィルム１２０、１２０ｂに入射した光の一部が透明スクリーン２０を直進透過して反射面Ｓで鏡面反射される。さらに、ミラーフィルム１２０、１２０ｂに入射した光の一部が透明スクリーン２０、２０ｄにて拡散反射される。これにより、ユーザ５００は、ミラーフィルム１２０、１２０ｂに映された鏡像とミラーフィルム１２０、１２０ｂに投影された映像を同時に視認することができる。
【００５４】
（実施の形態４）
以下、図１１を用いて、実施の形態４を説明する。
【００５５】
図１１に、ミラーフィルムのさらに別の構成を示す。図１１に示すように、ミラーフィルム１２０ｃは、図９に示すミラーフィルム１２０の構成に加えて、粘着層３１を備える。粘着層３１は、反射面Ｓを挟んで半透過拡散部２０と反対側に配置されている。本実施の形態では、粘着層３１は反射層１３に接して配置されている。粘着層３１は、例えばアクリル系の粘着材からなる。
【００５６】
ミラーフィルム１２０ｃは、粘着層３１を備えるので、既設のガラスや鏡などに貼り付けて使用することができる。また、ミラーフィルム１２０ｃは、柔軟性を有するので、円筒形の柱などの曲面に貼り付けて使用することができる。
【００５７】
なお、ミラーフィルム１２０ｃの構成と同様に、図１０に示すミラーフィルム１２０ｂの構成に粘着層３１を加えてもよい。
【００５８】
（他の実施の形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１〜４で説明した各構成要素を組み合わせて、新たな実施の形態とすることも可能である。
【００５９】
以上のように、本開示における技術の例示として、実施の形態を説明した。そのために、添付図面および詳細な説明を提供した。
【００６０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６１】
また、上述の実施の形態は、本開示における技術を例示するためのものであるから、請求の範囲またはその均等の範囲において種々の変更、置き換え、付加、省略などを行うことができる。
【産業上の利用可能性】
【００６２】
本開示のミラーパネル及びミラーフィルムは、鏡像を映すことができるとともにプロジェクタから投影された映像を表示できる。このため、鏡像上にプロジェクタから投影された映像を重畳して表示するような用途に、本開示は適用できる。
【符号の説明】
【００６３】
１０  表面反射鏡
１０ｘ  ミラー部
１１  基材
１３  反射層
１６，２６  透明基材
２０，２０ｃ，２０ｄ  透明スクリーン（半透過拡散部）
２１  凹凸基材
２３，２３ｃ  透明媒質層
２４  半透過反射層
２５  透過拡散層
２８  微粒子
３０，３１  粘着層
１００，１００ｂ，１００ｃ，１００ｄ，１００ｅ  ミラーパネル
１２０，１２０ｂ，１２０ｃ  ミラーフィルム
Ｐ  入射面
Ｓ  反射面
【図１】
0006778856.tif 000002
【図２Ａ】
0006778856.tif 000003
【図２Ｂ】
0006778856.tif 000004
【図３】
0006778856.tif 000005
【図４】
0006778856.tif 000006
【図５Ａ】
0006778856.tif 000007
【図５Ｂ】
0006778856.tif 000008
【図６】
0006778856.tif 000009
【図７】
0006778856.tif 000010
【図８】
0006778856.tif 000011
【図９】
0006778856.tif 000012
【図１０】
0006778856.tif 000013
【図１１】
0006778856.tif 000014